(57)【特許請求の範囲】
【請求項１】
コップの受け部と把手とを具えると共に中空のステージ部とその前面に配した透視可能な窓部とを具え、把手に設けた操作レバーに連動して動作可能な可動部を前記ステージ部内に設けて成るコップホルダー。
【請求項２】
可動部が回転軸周りに設けられた具象体であって、回転軸にピニオンギヤが取り付けられ該ピニオンギヤに噛合するラックギヤが操作レバーに連動して設けられていることを特徴とする、請求項１のコップホルダー。
【請求項３】
可動部が回転軸周りに設けられた具象体であって、回転軸に牽引用の紐の一端が捲回され他端が操作レバーの側に固定され、該紐を常に巻き取る方向に勢付するバネが回転軸周りに取り付けられていることを特徴とする、請求項１のコップホルダー。
【請求項４】
可動部が回転軸周りに設けられた具象体であって、回転軸に磁石が取り付けられ該磁石を回転させ得る別の磁石が操作レバーの側に取り付けられ、回転軸の回転を常に一方向に勢付するバネが回転軸周りに取り付けられていることを特徴とする、請求項１のコップホルダー。
【請求項５】
コップの受け部にコップが一体に設けられていることを特徴とする、請求項１のコップホルダー。
【発明の詳細な説明】
【０００１】
【発明の属する技術分野】
本発明は、ステージ部内の具象体を把手に設けた操作レバーを操作することにより動作させて楽しむことが出来るコップホルダーに関するものである。
【０００２】
【従来の技術】
従来よりコップホルダーというものがあった。これはコップの受け部と把手とを具え、コップの受け部にコップを填め込んで使用するものであった。この利点としては、把手のないコップでもコップホルダーに填め込むことによってコップホルダー側の把手を利用し得ること、使い捨ての紙コップを利用するのに都合がよいこと、コップホルダーに装飾を施せること等を上げることが出来る。装飾というのはコップホルダーを銅細工により成形したもの等のことである。
【０００３】
【発明が解決しようとする課題】
しかしながら精々コップホルダーに施された装飾を観賞するくらいしか楽しみがないものであった。更に興趣溢れるコップホルダーでありたい。そこでコップホルダーを２重構造とし、外側の壁面を開口して透視可能な窓を填め込み、内部に装飾物を置いてこれを観賞するというような構成を考えた。ところが装飾物は何等の動作も行なわないため、一二度観賞するとたちまち興味を失ってしまうのである。これがコップホルダーの使用者により操作可能であれば、何度でも動かして楽しむことが出来興趣を持続させることが出来る。それによって子供ばかりでなく大人にも遊んでもらうことが可能と成る。本発明はこのような課題を解決しようとするものである。
【０００４】
【課題を解決するための手段】
上記課題は、コップの受け部と把手とを具えると共に中空のステージ部とその前面に配した透視可能な窓部とを具え、把手に設けた操作レバーに連動して動作可能な可動部を前記ステージ部内に設けて成るコップホルダーとすることにより達成される。尚、前記中空のステージ部とコップの受け部との位置関係に付いてであるが、中空のステージ部をコップの受け部の下側に配置したり、前面や側面や周囲に配置することが出来る。
【０００５】
また請求項２の発明は、請求項１に付いて、可動部が回転軸周りに設けられた具象体であって、回転軸にピニオンギヤが取り付けられ該ピニオンギヤに噛合するラックギヤが操作レバーに連動して設けられていることを特徴とするものとした。
【０００６】
また請求項３の発明は、請求項１に付いて、可動部が回転軸周りに設けられた具象体であって、回転軸に牽引用の紐の一端が捲回され他端が操作レバーの側に固定され、該紐を常に巻き取る方向に勢付するバネが回転軸周りに取り付けられていることを特徴とするものとした。
【０００７】
また請求項４の発明は、請求項１に付いて、可動部が回転軸周りに設けられた具象体であって、回転軸に磁石が取り付けられ該磁石を回転させ得る別の磁石が操作レバーの側に取り付けられ、回転軸の回転を常に一方向に勢付するバネが回転軸周りに取り付けられていることを特徴とするものとした。
【０００８】
また請求項５の発明は、請求項１に付いて、コップの受け部にコップが一体に設けられていることを特徴とするものとした。
【０００９】
【作用】
請求項１の発明では、把手に設けた操作レバーを操作すると、該操作レバーに連動して動作可能な可動部が動作する。可動部は中空のステージ部内で動作するので、この動作状態を窓部を透して見ることが出来る。当該コップホルダーにはコップの受け部があるためここにコップを置くことが出来、把手を握って飲料を飲むことが出来る。
【００１０】
また請求項２の発明では、把手に設けた操作レバーを操作すると該操作レバーに連動して設けられたラックギヤが動いて、このラックギヤに噛合するピニオンギヤが回転する。ピニオンギヤは回転軸を回し該回転軸周りに設けられた具象体も回転する。この具象体も回転はステージ部内で行なわれこの動作状態を窓部を透して見ることが出来る。
【００１１】
また請求項３の発明では、把手に設けた操作レバーを操作すると該操作レバーに固定されている紐が引かれる。すると紐の一端が捲回されている回転軸がバネの力に抗して回転し、回転軸周りに設けられた具象体も回転する。操作レバーの操作を止めるとバネの力で回転軸が逆転し具象体も逆転する。
【００１２】
また請求項４の発明では、把手に設けた操作レバーを操作すると該操作レバーに取り付けられている磁石が動く。これに影響されるように回転軸に取り付けられた磁石が回転軸共々回転し、回転軸周りに設けられた具象体が回転する。操作レバーの操作を止めると磁石同士の干渉が消えバネの力で回転軸が逆転し具象体が逆転する。
【００１３】
また請求項５の発明では、コップの受け部にコップが一体に設けられて成るため、コップを着脱しなくてもよい。
【００１４】
【発明の実施の形態】
以下本発明の６種の実施形態を図面を参照しながら説明するが、本発明はこれ等の実施形態にのみ限定されるものではない。
【００１５】
図１は本発明の第１の実施の形態を表わす斜視図であり、円弧状の壁面と平面壁６０と底部とから成る容器部分と、底部から下方に突出した円筒形の挿入凸部６１とから構成されたコップ６を挿着するためのコップホルダー１に関し、当該コップホルダー１は、コップ６の受け部１１と把手１４と両者に関わる柱１３とを具え、把手１４に設けた操作レバー３０に連動して動作可能な可動部を窓２０から透視可能な中空のステージ部２内に設けて成る。可動部は本実施形態では、案内溝２３に沿って移動可能な具象体５３である。コップホルダー１は図２の概略断面図から明かと成るようにコップ６のケース１０の前部に設けたステージ部２、後部の把手１４、底部のリンク部４０及び上部のコップ６の受け部１１から構成されている。該受け部１１の中央部に前記挿入凸部６１を受ける挿着穴１２が開口されている。柱１３は前部がコップ６の平面壁６０を受ける平面を有し、後部がケース１０の円弧状の壁面に相当しており、ここに把手１４が取り付けられている。
【００１６】
さて、把手１４の内部は中空に形成され操作部３が設けられている。該操作部３は操作レバー３０と一体に設けられ把手１４に配置された駆動杆３１を具え、操作レバー３０部分のみ把手１４の前方に突出している。駆動杆３１の先端部はリンク部４内に横置きされたリンク杆４０の孔４１に挿入されている。リンク部４を詳細に表わすと図３のようであって、前後方向にスライド自在に設けられたリンク杆４０後方の孔４１に対して前方に方形の切欠部４０５を有し、該切欠部４０５のリンク杆４０の長手方向に沿った一側にラックギヤ４２が刻設され、該ラックギヤ４２はケース１０の底部から突設された軸５０を回転中心とするピニオンギヤ４３に噛合されている。ピニオンギヤ４３と一体にアーム５１が設けられ、該アーム５１の先端はステージ部２の下部に達し、前記軸５０を中心とする円弧を描くようにしてステージ床２１に開口された案内溝２３から上方に抜けるスライド柱５２を具えて可動部５が構成されている。スライド柱５２は窓２０を透して見えるステージ部２内に在り前記具象体５３が取り付けられている。具象体５３は本実施形態では海老を模しており、該具象体５３に今にも喰い掛かろうと大口を開けた魚の具象体５４をステージ床２１上に固定的に配置している。尚この状況を演出するための背景板２２がステージ床２１の後縁部より立設されている。
【００１７】
前記リンク杆４０の側面部にはフック４４が設けられ、これより前方のケース１０の底部にはフック４５が突設され、該フック４４，４５間にバネ４６が架け渡されてリンク杆４０を常に前方に付勢している。このためステージ部２を前方より見た場合にスライド柱５２は右端に位置しており、海老の具象体５３は魚の具象体５４の口のすぐ傍に位置するように成っている。さてここで、把手１４を握って指先で操作レバー３０を後方へ引くとリンク杆４０に掛かっている駆動杆３１がバネ４６の力に抗してリンク杆４０を後方へ引く。するとラックギヤ４２が後方へ移動しこれと噛合するピニオンギヤ４３を回転させアーム５１を回転させ、この結果スライド柱５２が案内溝２３に沿って移動し、海老の具象体５３は魚の具象体５４の口から慌てて逃れるように遠ざかる。次いで操作レバー３０を引く手を休めると、バネ４６の力でリンク杆４０が引き戻されピニオンギヤ４３が逆回転し、海老の具象体５３が魚の具象体５４の口の傍の位置まで戻される。このように、窓２０を透して見えるステージ部２の海老の具象体５３が、コップホルダー１の使用者により操作可能であり、何度でも動かして楽しむことが出来興趣を持続させることが出来、それによって子供ばかりでなく大人にも遊んでもらうことが可能と成っている。具象体５３のデザインを変えればいろいろな物語を表現することが可能であり、必要であれば背景板２２と具象体５４とによってシチュエーションを効果的に表現することが出来る。
【００１８】
次に図４で第２の実施の形態の概略を表わす。本実施形態が第１の実施の形態と異なる点は、ステージ部２の奥行きを深く取り回転軸５５を設けた点にある。即ち前方のステージ床２１の背後に一段高いステージ床２４を設け、該ステージ床２４から回転軸５５を突出させ、該回転軸５５に回転する具象体（図示せず）を取り付けた。回転軸５５はギヤ列４８を介して回転軸４７に、該回転軸４７は上述した軸５０に連設されている。この構成により操作部３の操作レバー３０の動作がスライド柱５２のスライド運動と回転軸５５の回転運動とを引き起こす。当然のこと乍らこの構成に伴ないステージ部２の奥行きが深いものと成り、挿着穴１５が後方へ移動し、当該挿着穴１５に挿入されるコップの形状が変更されている。即ち、コップの後方の平面壁６０と挿入凸部６２とで同一平面を構成して柱１３に密着する。
【００１９】
次に図５を用いて第３の実施の形態を説明する。本実施形態は第１の実施形態の操作レバー３０の代わりに別形状の操作レバー３２とした点に特徴を有する。本実施形態から明かと成るように操作レバーの形状は任意であり、更に把手１４に対する取付位置等も自由に設計可能である。また操作レバーと駆動杆とは別部品であっても一体であってもよく、またこのように名称を区別する必要もない。
【００２０】
次に図６は本発明の第４の実施形態のリンク部の説明図であるが、本実施形態では紐４００が主要な構成部品と成っている。即ちアーム５１に固定した回転筒４９が軸５０に取り付けられるが、回転筒４９には紐４００の一端が捲回され該紐４００の他端が駆動杆３１に固定されており、また回転筒４９は図示されていないコイルバネによって紐４００を巻き取りアーム５１をステージ部２の右端に位置させるように付勢されている。
【００２１】
駆動杆３１が後方へ引かれると紐４００を引き、回転筒４９に捲回されている紐４００が繰り出され回転筒４９が回転してスライド柱５２を移動させる。この際回転筒４９は図示されていないコイルバネによって巻き戻される方向へ付勢されることに成る。
【００２２】
次に図７は第５の実施の形態のリンク部の説明図であるが、アーム５１と一体化されると共に、軸５０周りに回転自在に設けられ且つバネ４０４で上述の方向に付勢された駆動板４０１に磁石４０２が固定されており、該磁石４０２に対向する位置であるリンク杆４０の先端部分に前記磁石４０２を吸引し得る別の磁石４０３が固定されて成る。リンク杆４０はバネ４６によって後方へ付勢されるように成っている。
【００２３】
このようにリンク杆４０はバネ４６により、駆動板４０１はバネ４０４により別々に付勢されており、リンク杆４０の動作を駆動板４０１に伝達するのに磁石４０２，４０３が利用されている。このようにリンク部４の構成も任意に設計し得るものである。尚本実施形態の磁石の場合、磁石間の斥力を利用してもよいことは言うまでもない。磁石の作用する力を強めるためにヨークを取り付けることが出来る。
【００２４】
次に本発明の第６の実施の形態を図８斜視図を用いて説明する。本実施形態の特徴は、コップホルダー１の上部に一体にコップ部分を形成した点にある。図中符号１６はコップ壁１６でありケース１０を上方へ延設した部位のことである。
【００２５】
このように本発明の主たる構成はコップホルダーにありコップは本発明の必須要件ではない。
【００２６】
尚、本発明は上述した実施の形態に限定されないから、例えば透視可能な窓部は単に壁面が開口されただけのものでよく、また窓２０のような透明板を設けた場合に、ステージ部分を気密として内部に液体を充満させる構成も可能であり、またこの際可動部を水流や水圧を作り出して液体内の具象体を駆動するポンプとする構成も可能である。ステージの位置も把手の対面に限定されない。００１９項で説明したように操作レバーと可動部との間に必要に応じてリンク機構を設けてよいが必須ではない。操作レバーと可動部との間に操作レバーの動作を可動部に伝達する伝達手段即ちリンク機構を介在させる場合であって、当該リンク機構がゼンマイを具え、操作レバーを引くとゼンマイが捲回されゼンマイに蓄積された動力が可動部に伝達されるように構成することも可能である。またゼンマイや可動部等に弾み車を取り付けてもよい。要は把手に設けた操作レバーに連動して動作可能な可動部でありさえすればその構成は任意である。
【００２７】
【発明の効果】
以上本発明のコップホルダーは、コップの受け部と把手とを具えると共に中空のステージ部とその前面に配した透視が可能な窓部とを具え、把手に設けた操作レバーに連動して動作可能な可動部を前記ステージ部内に設けて成ることを特徴としている。把手に設けた操作レバーを操作すると可動部が前記ステージ部内で動作し、これを窓部を透して見ることが出来る。
【００２８】
この結果、把手に設けた操作レバーを操作するという簡単な動作で可動部を何度でも動かして楽しむことが出来、子供ばかりでなく大人の興趣をも惹起し得るコップホルダーとすることに成功している。
【図面の簡単な説明】
【図１】本発明の第１の実施の形態の斜視図である。
【図２】同実施形態の概略を表わす側断面図である。
【図３】同実施形態のリンク部の説明図である。
【図４】本発明の第２の実施の形態の概略を表わす側断面図である。
【図５】本発明の第３の実施の形態の斜視図である。
【図６】本発明の第４の実施の形態のリンク部の説明図である。
【図７】本発明の第５の実施の形態のリンク部の説明図である。
【図８】本発明の第６の実施の形態の斜視図である。
【符号の説明】
１      コップホルダー
１０    ケース
１１    受け部
１２    挿着穴
１３    柱
１４    把手
１５    挿着穴
１６    コップ壁
２      ステージ部
２０    窓
２１    ステージ床
２２    背景板
２３    案内溝
２４    ステージ床
３      操作部
３０    操作レバー
３１    駆動杆
３２    操作レバー
４      リンク部
４０    リンク杆
４１    孔
４２    ラックギヤ
４３    ピニオンギヤ
４４    フック
４５    フック
４６    バネ
４７    回転軸
４８    ギヤ列
４９    回転筒
４００  紐
４０１  駆動板
４０２  磁石
４０３  磁石
４０４  バネ
４０５  切欠部
５      可動部
５０    軸
５１    アーム
５２    スライド柱
５３    具象体
５４    具象体
５５    回転軸
６      コップ
６０    平面壁
６１    挿入凸部
６２    挿入凸部
【図１】
0004110487.tif 000002
【図２】
0004110487.tif 000003
【図３】
0004110487.tif 000004
【図４】
0004110487.tif 000005
【図５】
0004110487.tif 000006
【図６】
0004110487.tif 000007
【図７】
0004110487.tif 000008
【図８】
0004110487.tif 000009